(57)【要約】【課題】  本発明は、毛抜本体が自動的に後方に移動する毛抜であり、構造を簡単にしてコストを抑えることを課題とする。また、毛抜本体を取り付けるケーシングを毛抜本体を後方に移動させる構成も含めて一体的に形成することを課題とする。【解決手段】  把持部が、それ自身が揺動するための可撓部と、挟持板滑動用のガイド溝とを有し、ガイド溝は可撓部よりも把持部前端寄りに設けられており、ガイド溝内又はガイド溝よりも前側に形成された押圧部と接する両挟持板の両表面部は、押圧部と接する部分よりも前端に行くに従って接近するように傾斜しており、押圧部が挟持板の表面部を押圧することにより、挟持板の前端が閉じ、毛抜本体が後方に移動して毛を引き抜く。【選択図】  図１
2007229386.tif 000002
【特許請求の範囲】
【請求項１】
ケーシングと毛抜本体を含んで成り、ケーシングは、その基部と、該基部から対向して延びる一対の把持部とで形成されており、毛抜本体は、一対の対向する挟持板を有し、その一対の挟持板は後端が結合され前端は開閉自在であり、且つ把持部の内側で前後方向に移動可能にケーシングに取り付けられており、毛抜は、毛抜本体を常時前方に弾性的に押圧する付勢構造と、毛抜本体の前方移動を所定の位置で停止する停止構造を有し、前記把持部を押圧したときに、挟持板の前端が閉じ、毛抜本体が後方に移動して毛を引き抜く毛抜において、
把持部は、それ自身が揺動するための可撓部と、挟持板滑動用のガイド溝とを有し、ガイド溝は可撓部よりも把持部前端寄りに設けられており、ガイド溝内又はガイド溝よりも前側に形成された押圧部と接する両挟持板の両表面部は、押圧部と接する部分よりも前端に行くに従って接近するように傾斜しており、押圧部が挟持板の表面部を押圧することにより、挟持板の前端が閉じ、毛抜本体が後方に移動して毛を引き抜くことを特徴とする毛抜。
【発明の詳細な説明】
【技術分野】
【０００１】
本発明は、主に一般大衆が使用する毛抜であって、特に、把持部を押圧したときに毛抜本体の挟持板が閉じて毛を挟持し、さらに毛抜本体が後方に自動的に移動して毛を引き抜く毛抜に関する。
【背景技術】
【０００２】
毛抜本体とケーシングとから成り、ケーシングの把持部を押圧することにより毛抜本体の前端が閉じて毛を挟持し、さらに毛抜本体が自動的に後方に移動して毛を引き抜く自動式毛抜は古くから存在している（例えば、特許文献１参照。）。
また、ケーシングの中に毛抜本体が移動可能に取り付けられ、ケーシングに取り付けられた一対のレバーで毛抜本体の表面部を押圧したときに、その表面部が押圧部上を滑動しながら毛抜本体の前端が閉じ、さらに毛抜本体が後方に移動して毛を引き抜く自動式毛抜も存在している（例えば、特許文献２参照。）。
【特許文献１】実公昭１３−１８６７９号公報
【特許文献２】米国特許第２５３３８０１号明細書
【発明の開示】
【発明が解決しようとする課題】
【０００３】
本発明は、毛抜本体が自動的に後方に移動する毛抜であり、構造を簡単にしてコストを抑えることを課題とする。また、毛抜本体を取り付けるケーシングを毛抜本体を後方に移動させる構成も含めて一体的に形成することを課題とする。
【０００４】
特許文献１の毛抜は、ケーシングの把持部と毛抜本体の挟持板を連結子で連結した構成である。また、連結子と把持部の結合及び連結子と挟持板の結合はピンによる結合である。したがって、毛抜本体を移動させる構成として連結子とピンを用いているのでその分だけ部品が多い。また、その連結子をピンによって結合するので構成が複雑となり、製造工程も多くなるからコストが高くなる。
【０００５】
特許文献２は、ケーシングの中に毛抜本体が装着され、レバーを回動することによって毛抜本体の前端を閉じて後方に移動させる構成である。この発明もレバーを支軸でケーシングに装着するのでその分だけ部品が多い。また、ケーシングとレバーを一体的に形成することができず、それらを支軸によって結合するので構成が複雑となり、製造工程が多くなるからコストが高くなる。そこで、本発明は従来よりも部品数を少なくして簡単な構造とし、コストの低い毛抜を提供することを目的とする。さらに、従来はケーシングのほかに毛抜本体を移動させるための部品を必要としていたのでそれらを別々に形成して支軸で結合しなければならなかった。本発明は、ケーシング自体が毛抜本体を移動させる機能を有することとして、ケーシングと毛抜本体の移動構造を一体的に形成することができる毛抜を提供することを目的とする。
【課題を解決するための手段】
【０００６】
本発明は、ケーシングと毛抜本体を含んで成り、ケーシングは、その基部と、該基部から対向して延びる一対の把持部とで形成されており、毛抜本体は、一対の対向する挟持板を有し、その一対の挟持板は後端が結合され前端は開閉自在であり、且つ把持部の内側で前後方向に移動可能にケーシングに取り付けられており、毛抜は、毛抜本体を常時前方に弾性的に押圧する付勢構造と、毛抜本体の前方移動を所定の位置で停止する停止構造を有し、前記把持部を押圧したときに、挟持板の前端が閉じ、毛抜本体が後方に移動して毛を引き抜く毛抜において、把持部は、それ自身が揺動するための可撓部と、挟持板滑動用のガイド溝とを有し、ガイド溝は可撓部よりも把持部前端寄りに設けられており、ガイド溝内又はガイド溝よりも前側に形成された押圧部と接する両挟持板の両表面部は、押圧部と接する部分よりも前端に行くに従って接近するように傾斜しており、押圧部が挟持板の表面部を押圧することにより、挟持板の前端が閉じ、毛抜本体が後方に移動して毛を引き抜く構成である。
【発明の効果】
【０００７】
本発明は以上の構成であって、把持部のガイド溝内又はガイド溝よりも前側に、毛抜本体の挟持板の表面部を押圧する押圧部が形成されている。さらに、両挟持板の両表面部は押圧部と接する部分よりも前端に行くに従って接近するように傾斜している。したがって、両把持部が接近するように両把持部を押圧すると、押圧部が両挟持板の表面部を押圧して両挟持板の前端を閉じ毛が挟持される。さらにそれよりも強い力で両把持部を押圧すると、押圧力の中の毛抜本体を後方に移動させる分力が、毛抜本体を常時前方に弾性的に押圧する付勢力よりも大きくなって毛抜本体を後方に移動させ毛を自動的に引き抜くことができる。そして、押圧部は把持部のガイド溝内又はガイド溝よりも前側に形成されている。押圧部は挟持板の表面部を押圧するものであるから、押圧部はケーシングと一体的に形成することができる。したがって、挟持板を押圧するために別部品を形成し、ピンなどの結合手段を使用してケーシングと結合する必要がないので構成が簡単である。これにより製造コストを従来よりも低くすることができる。
【発明を実施するための最良の形態】
【０００８】
次に本発明を実施するための最良の形態について説明する。ケーシング１は、当初、接合線２を中心に上下別々に分割されて形成され、形成後に接合線２の部分で接合することにより形成される。ケーシング１は、基部３と、その基部３から一体に延びる一対の把持部４，４から成る。それぞれの把持部４の前端部１４に押圧部５が形成されている。押圧部５は前端部１４の最前部に形成されているが、それよりも後方に形成してもよい。把持部４の前端部１４以外の部分はＡＢＳ樹脂で基部３と一体に形成され、前端部１４はポリアセタール樹脂で一体的に形成されている。ポリアセタール樹脂は、ＡＢＳ樹脂に比べて摩擦係数が小さく耐摩耗性に優れているという性質を有する。したがって、他の部材と接触したときに滑りやすく摩耗が少ない。当初の分割されたケーシング１の製造方法は、射出成型した前端部１４以外の部分と、射出成型した前端部１４を嵌め殺しにより結合する方法が好ましい。嵌め殺しに代えて接着してもよい。その際、前端部１４の断面もコ字形に形成する。あるいは、最初に前端部１４以外の部分を射出成型し、その成型したものに前端部１４を２度目の射出成型によって形成してもよい。また本発明は、前端部１４を別体に形成する構成に限定されるものではなく、前端部１４と把持部４を同じ材料で一体に形成してもよい。
【０００９】
さらに図３に示すように、前端部１４は最前端に行くに従って幅が狭くなる構成である。このように構成した理由は次のとおりである。すなわち、例えば鏡を見ながら眉毛を抜くときに挟持板１７は顔に垂直に当てずに斜めに当てて抜くのである。そのために、図３に示すように挟持板１７の前端２６は斜めに形成されているのである。垂直に当てると把持部４が邪魔になって挟持板１７の前端２６が鏡で確認できず、目標の毛を円滑に挟んで引き抜くことができないからである。しかし挟持板１７を顔に斜めに当てても、把持部４の前部の幅が広いと、その把持部４の前部が邪魔になって挟持板１７の前端２６が確認できない。そこで、前端部１４の幅が最前端に行くに従って狭くなるように形成することよって、把持部４の広く張り出していた前端部１４の幅が狭くなり、その狭くなった部分から挟持板１７の前端２６を鏡で見ることができるようにしたものである。なお、挟持板１７の前端２６は斜めでなく毛抜の長さ方向に対して垂直であってもよい。
【００１０】
把持部４は、全長に亘って断面がコ字形に形成されている。したがって、前端部１４の断面もコ字形である。把持部４の基部３寄りの部分の断面は前述したようにコ字形であるが、図１に示すように可撓部１５が基部３寄りに形成されている。可撓部１５はその側壁１６の高さを他の部分よりも低くすることにより構成される。したがって、把持部４はこの可撓部１５の部分で撓むことができる。
【００１１】
ケーシング１の基部３内にバネの収納室６が形成されている。この収納室６内にコイルバネ７が収納されている。さらに、収納室６の前面に端壁９が形成されている。そして、その端壁９のやや前方に把持部４の後壁８が形成されている。これらの後壁８と端壁９にはそれぞれ毛抜本体１２の後端部１３を前後方向に案内する細長い挿通孔１０，１１が設けられている。挿通孔１０，１１は、当初の分割されたケーシング１のそれぞれの分割された後壁８及び端壁９の縁部に凹部として形成され、分割されたケーシング１を接合することにより挿通孔１０，１１が形成される。
【００１２】
毛抜本体１２は、一対の挟持板１７，１７の後端部を接合し、前端部を開いた状態に形成されている。なお、挟持板１７は２枚の金属板を接合したものでもよく、１枚の細長い金属板を中央で折り曲げたものでもよいことは勿論である。図５に示すように、挟持板１７の後部には後退規制部１８，１８と前進規制部１９，１９が形成されている。後退規制部１８は後壁８よりも前方にあって、その後退規制部１８が後壁８に係止することにより毛抜本体１２の後退をこの位置で規制する。また、前進規制部１９は端壁９よりも後方にあって、前進規制部１９が端壁９に係止することにより、把持部４に力の加わっていない毛抜本体１２の前進をこの位置で規制する。毛抜本体１２はコイルバネ７によって常時前方に弾性的に押圧されているから、毛抜本体１２はその前進規制部１９が端壁９に係止してこの位置で止まっている。なお、前述したコイルバネ７及び毛抜本体１２は、２つに分割されているケーシング１を接合するよりも前にケーシング１内に取り付け、その後で分割されているケーシング１を接合する。ケーシング１を接合した後ではコイルバネ７及び毛抜本体１２を取り付けることができないからである。コイルバネ７に代えて他の弾性部材を使用してもよい。なお、組立て前の分割されているケーシング１の２つの分割部材は同一形状でなくてもよい。例えば、基部３を曲がった形状にするために一方の分割部材の基部に該当する部分は上方に反り、他方の分割部材の基部に該当する部分は下方に反るように形成し、両分割部材を組み立てたときに基部３が全体として弧状をなすように曲げて形成してもよい。また、一対の可撓部１５同士、又は一対の挟持板１７同士の撓む部分の厚さや幅などを違えて形成し、曲げ剛性の異なるようにしてもよい。このように形成すれば、毛を抜くときに、まず曲げ剛性の大きな方に存在する挟持板の前端２６に抜こうとする毛を宛がい、次いで把持部４，４を押圧すると、曲げ剛性の小さな他方の挟持板１７が先に曲がって毛を挟むことができる。すなわち、毛抜の位置決めが容易で確実に毛を捉えることができる。
【００１３】
把持部４は、その可撓部１５よりも前端寄りにガイド溝２０が設けられている。ガイド溝２０は断面がコ字形であって、ガイド溝２０は、その両側壁２１，２１が毛抜本体１２の挟持板１７の両側に沿うことにより、その中を通過する毛抜本体１２の挟持板１７をガイドする作用をなす。ガイド溝２０のある部分の外側面２２はそれよりも後方の把持部外側面よりも段差をつけて低く形成されている。これは、キャップ２３を着脱自在に取り付けるためのものである。キャップ２３の２つの後端部にはそれぞれ係止切欠２４が設けられ、この係止切欠２４が外側面２２に設けられている円形突部２５に係止してキャップ２３は取り付けられる。さらに、キャップ２３の後端部の両側面にもそれぞれ一対の切欠が設けられ、それぞれの切欠に外側部２２の側面に設けられた突起２８が嵌合する。これにより、毛抜にキャップ２３を取り付けたときに、突起２８が切欠に係止して把持部４，４が開いたり閉じたりしない。
【００１４】
次に本発明の使用方法を説明する。まず、図２に示すように挟持板１７，１７の前端２６，２６が開いた状態で抜こうとする所定の毛に近づける。そして、指で把持部４，４を押圧する。押圧する位置は円形突部２５あるいはその付近が好ましい。押圧するについて指が負担する力が少なくて済むからである。また、押圧位置が毛抜の前端に近い位置であれば、抜こうとする毛と指との距離が近くなって、的確に毛を挟むことができるからである。毛と指との距離が遠いときは、挟持板１７，１７の前端２６，２６をその遠い離れた位置でコントロールしなければならず、細い毛を的確に挟持するのに手間がかかる。指で把持部４，４を押圧すると、押圧部５，５が挟持板１７，１７の表面部２７，２７を押圧し、前端２６，２６が閉じて所定の毛を挟む。このときに、毛抜本体１２はほとんどあるいは全く後方に移動しない。挟持板１７，１７で毛を挟むだけの力では、コイルバネ７の弾性力に抗して毛抜本体１２を移動させるに不十分だからである。したがって、さらに大きな力で把持部４，４を押圧すると、挟持板１７，１７の表面部２７，２７が押圧部５，５上を滑りながら毛抜本体１２がコイルバネ７を圧縮する。これによって毛抜本体１２は後方に自動的に移動し毛を引き抜くことができる。引き抜いた後で把持部４，４を押圧から開放すると、毛抜本体１２は前進し、挟持板１７，１７の前端２６，２６は図１又は図２に示すように再び開く。なお、バネ定数の小さなコイルバネ、すなわち小さな力で大きく変形するコイルバネ７を用いるときは、挟持板１７，１７で毛を挟むときにコイルバネ７が圧縮されて毛抜本体１２が同時に移動する。また、押圧部５と接する両挟持板１７，１７の両表面部２７，２７が、前端に行くに従って接近するように傾斜するその傾斜角を大きくしたときは、把持部４，４を押圧する力の毛抜本体１２を後方に移動させる分力の割合が大きくなって、この場合も挟持板１７，１７で毛を挟むときにコイルバネ７が圧縮されて同時に毛抜本体１２が移動する。本発明は、これらのような構成であっても差し支えない。また、図２において毛抜の全長は約９０ｍｍであり、毛抜の上下方向の最大幅は約２５ｍｍである。
【図面の簡単な説明】
【００１５】
【図１】本発明の断面図
【図２】本発明の正面図
【図３】本発明の平面図
【図４】図２におけるＢ−Ｂ断面図
【図５】毛抜本体の平面図
【図６】挟持板の前端を閉じた状態の正面図
【図７】キャップを装着した本発明の正面図
【図８】キャップを装着した本発明の平面図
【符号の説明】
【００１６】
１  ケーシング
２  接合線
３  基部
４  把持部
５  押圧部
６  バネの収納室
７  コイルバネ
８  後壁
９  端壁
１０  挿通孔
１１  挿通孔
１２  毛抜本体
１３  後端部
１４  前端部
１５  可撓部
１６  側壁
１７  挟着板
１８  後退規制部
１９  前進規制部
２０  ガイド溝
２１  側壁
２２  外側面
２３  キャップ
２４  係止切欠
２５  円形突部
２６  挟持板の前端
２７  挟持板の表面部
２８  突起
【図１】
2007229386.tif 000003
【図２】
2007229386.tif 000004
【図３】
2007229386.tif 000005
【図４】
2007229386.tif 000006
【図５】
2007229386.tif 000007
【図６】
2007229386.tif 000008
【図７】
2007229386.tif 000009
【図８】
2007229386.tif 000010